(57)【要約】【課題】外気が冷気である冷気空間で保温容器を用いる場合に優れたエネルギー効率で容器内の収容物に対する冷気環境を整えることができると共に、容器の小型化と製造コストの低減を図ることができるファン付保温容器を提供する。【解決手段】断熱性の容器本体２と、容器本体２を略密閉して閉塞可能な断熱性の蓋３を備え、蓋３に、ファン４と、ファン４の駆動制御装置５及びバッテリー６と、蓋３の外気吸込口３５２からファン４に連通する吸気ダクト７と、ファン４から蓋３の容器内部への外気導入口３４２に連通する導入ダクト８と、蓋３の容器内部からの排気導出口３４３から蓋３の容器外部への排出口３５４に連通する排気ダクト９が設けられているファン付保温容器１。【選択図】図１
2020121723.tif 000002
【特許請求の範囲】
【請求項１】
断熱性の容器本体と、前記容器本体を略密閉して閉塞可能な断熱性の蓋を備え、
前記蓋に、ファンと、前記ファンの駆動制御装置及びバッテリーと、前記蓋の外気吸込口から前記ファンに連通する吸気ダクトと、前記ファンから前記蓋の容器内部への外気導入口に連通する導入ダクトと、前記蓋の前記容器内部からの排気導出口から前記蓋の容器外部への排出口に連通する排気ダクトが設けられていることを特徴とするファン付保温容器。
【請求項２】
前記外気吸込口が、前記蓋の周壁の凹んだ部分で側方に開口するように設けられていると共に、
前記排出口が、前記蓋の周壁の凹んだ部分で側方に開口するように設けられていることを特徴とする請求項１記載のファン付保温容器。
【請求項３】
前記外気吸込口に、前記容器外部から前記ファンに向かっての気流に規制する第１の逆止弁が設けられ、
前記排気導出口に、前記容器内部から前記容器外部に向かっての気流に規制する第２の逆止弁が設けられていることを特徴とする請求項１又は２記載のファン付保温容器。
【請求項４】
前記蓋が内部に断熱空間を有する二重壁で形成され、
前記ファン、前記駆動制御装置、前記バッテリー、前記吸気ダクト、前記導入ダクト、前記排気ダクトが前記断熱空間に内設されていることを特徴とする請求項１〜３の何れかに記載のファン付保温容器。
【請求項５】
断熱性の容器本体を略密閉して閉塞可能な断熱性のファン付保温蓋であって、
ファンと、
前記ファンの駆動制御装置及びバッテリーと、
外気吸込口から前記ファンに連通する吸気ダクトと、
前記ファンから容器内部への外気導入口に連通する導入ダクトと、
前記容器内部からの排気導出口から容器外部への排出口に連通する排気ダクトを備えることを特徴とするファン付保温蓋。
【請求項６】
請求項１〜４の何れかに記載のファン付保温容器と、通信端末とから構成され、
前記ファン付保温容器は、容器内部の温度を検出する温度センサーを有し、
前記ファン付保温容器の前記駆動制御装置は、前記温度センサーの検出温度を認識し、通信部を介して前記温度センサーの検出温度を前記通信端末に送信し且つ前記通信端末から前記ファンの出力調整指令を受信すると共に、前記出力調整指令に対応する回転速度に前記ファンの回転速度を調整し、
前記通信端末は、前記ファン付保温容器から前記温度センサーの検出温度を受信し、入力された前記ファンの出力調整指令を前記ファン付保温容器に送信することを特徴とする保冷システム。
【請求項７】
複数の前記ファン付保温容器のそれぞれに識別情報が設定されて前記駆動制御装置の記憶部に格納され、
前記通信端末が、特定の識別情報に対応する前記ファン付保温容器から前記温度センサーの検出温度を受信し、入力された前記ファンの出力調整指令を前記特定の識別情報に対応する前記ファン付保温容器に送信することを特徴とする請求項６記載の保冷システム。
【発明の詳細な説明】
【技術分野】
【０００１】
本発明は、ファンを有するファン付保温容器、ファン付保温蓋、ファン付保温容器を備える保冷システムに関する。
【背景技術】
【０００２】
従来、ファンを有するファン付保温容器として特許文献１、２の容器がある。特許文献１の容器は、発泡樹脂製の容器内のアルミニウム板の両端に保冷剤が収納される収納室と、ファンを内蔵する小部屋を装着し、収納室に隣接する冷凍貯蔵室と、小部屋に隣接する冷蔵貯蔵室を発泡樹脂製の仕切板で仕切り、冷蔵貯蔵室の冷気をファンの駆動によって吸込口から取り込んで排出口から排出し、冷蔵貯蔵室の冷気を攪拌して温度を均一化する構造になっている。
【０００３】
また、特許文献２の容器は、冷気の吸入口と排出口を有する断熱箱体の側部に電子冷却素子で構成される冷却ユニットが設けられ、冷却ユニットのハウジング内部が断熱隔壁で仕切られて冷却側送風路と放熱側送風路が形成され、冷却側送風路に設けられるファンで断熱箱体の内部の冷気を吸い込んで冷却ユニットの冷却側熱交換で冷却して断熱箱体の内部に排出すると共に、放熱側送風路に設けられるファンで外気を取り込んで放熱側熱交換器で放熱して排気する構造になっている。
【先行技術文献】
【特許文献】
【０００４】
【特許文献１】特開平１１−３４４２７７号公報
【特許文献２】特開平８−２９６９４１号公報
【発明の概要】
【発明が解決しようとする課題】
【０００５】
ところで、特許文献１、２の容器は、いずれもファンに加えて保冷剤収納室や冷却ユニットを備え、容器内部の冷気を取り込んで再度送り込み、容器内の収容物に対する冷気環境を整えるものであるが、冷蔵倉庫や冷蔵車の冷蔵庫の内部など外気が冷気である冷気空間で保温容器を用いる場合、保冷剤収納室や冷却ユニットのような容器内部の冷却部の設置による冷却は、エネルギー効率に劣る二重の冷却となる。また、斯様な容器内部の冷却部を設置すると、容器が大型化してしまうと共に、容器の製造コストが高くなるという問題もある。
【０００６】
本発明は上記課題に鑑み提案するものであり、外気が冷気である冷気空間で保温容器を用いる場合に優れたエネルギー効率で容器内の収容物に対する冷気環境を整えることができると共に、容器の小型化と製造コストの低減を図ることができるファン付保温容器、ファン付き保温蓋、ファン付保温容器を備える保冷システムを提供することを目的とする。
【課題を解決するための手段】
【０００７】
本発明のファン付き保温容器は、断熱性の容器本体と、前記容器本体を略密閉して閉塞可能な断熱性の蓋を備え、前記蓋に、ファンと、前記ファンの駆動制御装置及びバッテリーと、前記蓋の外気吸込口から前記ファンに連通する吸気ダクトと、前記ファンから前記蓋の容器内部への外気導入口に連通する導入ダクトと、前記蓋の前記容器内部からの排気導出口から前記蓋の容器外部への排出口に連通する排気ダクトが設けられていることを特徴とする。
これによれば、保冷剤収納室や冷却ユニットのような保温容器内部の冷却部の設置や当該冷却部による冷却を行わないことから、外気が冷気である冷気空間で保温容器を用いる場合に、優れたエネルギー効率で容器内の収容物に対する冷気環境を整えることができる。また、保温容器内部の冷却部を設置しないことで、保温容器の小型化と保温容器の製造コストの低減を図ることができる。
【０００８】
本発明のファン付き保温容器は、前記外気吸込口が、前記蓋の周壁の凹んだ部分で側方に開口するように設けられていると共に、前記排出口が、前記蓋の周壁の凹んだ部分で側方に開口するように設けられていることを特徴とする。
これによれば、冷気空間でファン付保温容器が水平面内に近接して並べられた理、上下段に積まれた場合にも、容器内部への外気の吸込みと容器内部からの排気をスムーズに行うことができ、容器内の収容物に対する冷気環境を確実に整えることができる。
【０００９】
本発明のファン付き保温容器は、前記外気吸込口に、前記容器外部から前記ファンに向かっての気流に規制する第１の逆止弁が設けられ、前記排気導出口に、前記容器内部から前記容器外部に向かっての気流に規制する第２の逆止弁が設けられていることを特徴とする。
これによれば、ファンの回転による吸気ダクト内の圧力低下で第１の逆止弁が開いて外気を取り込み、外気の取り込みによる保温容器内の圧力上昇で第２の逆止弁が開いて容器内部からの排気を行うことができ、保温容器内部の気流の流れを安定させることができる。また、保温容器内の圧力をほぼ一定の圧力に維持し、食材等の収容物が劣化することを防止することができる。また、容器内部への必要以上の冷気の取り込み、流通を無くし、容器内部が過度に冷却されることを防止することができると共に、容器内部の温度を安定させることができる。
【００１０】
本発明のファン付き保温容器は、前記蓋が内部に断熱空間を有する二重壁で形成され、前記ファン、前記駆動制御装置、前記バッテリー、前記吸気ダクト、前記導入ダクト、前記排気ダクトが前記断熱空間に内設されていることを特徴とする。
これによれば、蓋の断熱空間を有効利用してファン、駆動制御装置、バッテリー、吸気ダクト、導入ダクト、排気ダクトを設置することができ、これらの各部を蓋にコンパクトに収容することができる。
【００１１】
本発明のファン付き保温蓋は、断熱性の容器本体を略密閉して閉塞可能な断熱性のファン付保温蓋であって、ファンと、前記ファンの駆動制御装置及びバッテリーと、外気吸込口から前記ファンに連通する吸気ダクトと、前記ファンから容器内部への外気導入口に連通する導入ダクトと、前記容器内部からの排気導出口から容器外部への排出口に連通する排気ダクトを備えることを特徴とする。
これによれば、保冷剤収納室や冷却ユニットのような保温容器内部の冷却部の設置や当該冷却部による冷却を行わないことから、外気が冷気である冷気空間で保温蓋と容器本体と組み合わせて用いる場合に、優れたエネルギー効率で容器内の収容物に対する冷気環境を整えることができる。また、保温容器内部の冷却部を設置しないことで、ファン付保温蓋と容器本体の小型化と製造コストの低減を図ることができる。また、多様な断熱性の容器本体にファン付保温蓋は使用可能であり、汎用性に優れる。
【００１２】
本発明の保冷システムは、本発明のファン付保温容器と、通信端末とから構成され、前記ファン付保温容器は、容器内部の温度を検出する温度センサーを有し、前記ファン付保温容器の前記駆動制御装置は、前記温度センサーの検出温度を認識し、通信部を介して前記温度センサーの検出温度を前記通信端末に送信し且つ前記通信端末から前記ファンの出力調整指令を受信すると共に、前記出力調整指令に対応する回転速度に前記ファンの回転速度を調整し、前記通信端末は、前記ファン付保温容器から前記温度センサーの検出温度を受信し、入力された前記ファンの出力調整指令を前記ファン付保温容器に送信することを特徴とする。
これによれば、ファン付保温容器に収容された食材等の収容物の温度を、通信端末とファン付保温容器の通信を通じてより適切に管理し、必要な調整を行うことができる。
【００１３】
本発明の保冷システムは、複数の前記ファン付保温容器のそれぞれに識別情報が設定されて前記駆動制御装置の記憶部に格納され、前記通信端末が、特定の識別情報に対応する前記ファン付保温容器から前記温度センサーの検出温度を受信し、入力された前記ファンの出力調整指令を前記特定の識別情報に対応する前記ファン付保温容器に送信することを特徴とする。
これによれば、複数のファン付保温容器が並行して用いられる場合に、個々のファン付保温容器に収容された個々の食材等の収容物の温度を、通信端末とファン付保温容器の通信を通じてより適切に個別管理し、必要な調整を行うことができる。
【発明の効果】
【００１４】
本発明によれば、外気が冷気である冷気空間で保温容器を用いる場合に優れたエネルギー効率で保温容器内の収容物に対する冷気環境を整えることができると共に、保温容器の小型化と製造コストの低減を図ることができる。
【図面の簡単な説明】
【００１５】
【図１】（ａ）は本発明による第１実施形態のファン付保温容器の平面説明図、（ｂ）はその縦断説明図。
【図２】図１のＡ部拡大図。
【図３】図１のＢ部拡大図。
【図４】図３のＣ部拡大図。
【図５】（ａ）は本発明による第２実施形態のファン付保温容器の平面説明図、（ｂ）はその縦断説明図。
【図６】第２実施形態のファン付保温容器における駆動制御装置と温度センサーの構成を示すブロック図。
【図７】第２実施形態における通信端末の構成を示すブロック図。
【図８】第２実施形態のファン付保温容器と通信端末による保冷処理のフローチャート。
【図９】第２実施形態のファン付保温容器が保冷庫に並べて設置された状態の縦断説明図。
【図１０】（ａ）は通信端末の選択入力画面の説明図、（ｂ）は通信端末の温度調整画面の説明図。
【発明を実施するための形態】
【００１６】
〔第１実施形態のファン付き保温容器〕
本発明による第１実施形態のファン付保温容器１は、食品、医薬品等の各種収容物を収容して、冷蔵倉庫や冷蔵車の冷蔵庫、冷凍倉庫や冷凍車の冷凍庫等のような冷気空間に保管する際に用いられるものであり、図１〜図４に示すように、断熱性の容器本体２と、容器本体２を略密閉して閉塞可能な断熱性の蓋３を備える。
【００１７】
容器本体２は、上方開放で略矩形箱状の内容器２１と、上方開放で略矩形箱状の外容器２２とから構成される二重壁構造であり、内容器２１と外容器２２との間の内部に断熱空間２３を有する。本実施形態の内容器２１と外容器２２は金属製であり、外容器２２の周壁の上端縁から内方に屈曲して屈曲片２２１が形成され、屈曲片２２１の先端が内容器２１の周壁の上端縁に溶接等で接合されている。本実施形態の断熱空間２３は大気圧の状態にした空気層の断熱層を構成しているが、断熱空間２３を、真空状態或いは減圧状態にした真空断熱層としてもよく、或いは内容器２１の外面や外容器２２の内面に銅、アルミ等の金属箔を施す等による断熱材を備える真空断熱層としてもよい。
【００１８】
蓋３は、本実施形態では平面視略矩形の金属製であり、蓋本体３１の上面開口を天板３２で塞いで溶接等で固着して形成され、内部に断熱空間３３を有する二重壁で形成されている。天板３２は、蓋本体３１の内部に後述するファン４、駆動制御装置５、バッテリー６、吸気ダクト７、導入ダクト８、排気ダクト９を配設した後に取り付けられる。蓋本体３１の底部３４には、全周に亘って断面視凹形の嵌合部３４１が設けられており、嵌合部３４１を容器本体２の周壁の上端部に嵌め込むように蓋３を閉じることにより、容器本体２が略密閉して閉塞されるようになっている。
【００１９】
蓋本体３１の周壁３５には、平面視で対向する二辺の位置に、内側に凹んだ部分に相当する段差周壁３５１・３５１が形成されている。一方の段差周壁３５１には側方に開口するようにして外気吸込口３５２が形成され、外気吸込口３５２には、容器外部から後述するファン４に向かっての流れに気流に規制する第１逆止弁３５３が段差周壁３５１の内面に固着するようにして設けられている。図示例の第１逆止弁３５３は外気吸込口３５２を閉鎖可能な板状であり、一方の端辺に沿って段差周壁３５１の内面に固着され、対向する他方の端辺側は自由端になっている。他方の段差周壁３５１には、側方に開口するようにして排出口３５４が設けられている。図示例の外気吸込口３５２と排出口３５４は、ファン付保温容器１の奥側に寄った位置（図１（ａ）の上寄りの位置）に配置されている。
【００２０】
蓋本体３１の底部３４における一方の段差周壁３５１寄りの位置には、容器内部に外気を導入する外気導入口３４２が設けられており、図示例の外気導入口３４２は、複数の長孔が並ぶようにして構成されている。蓋本体３１の底部３４における他方の段差周壁３５１寄りの位置には、容器内部の冷気を容器内部から導出する排気導出口３４３が設けられている。また、図示例の外気導入口３４２はファン付保温容器１の手前側に寄った位置（図１（ａ）の下寄りの位置）に配置され、排気導出口３４３はファン付保温容器１の奥側に寄った位置（図１（ａ）の上寄りの位置）に配置されており、外気導入口３４２から容器内部に導入された冷気が、容器平面視の対角線状の経路等の長い経路で冷気が流通するようになっている。
【００２１】
排気導出口３４３には、容器内部から容器外部に向かっての流れに気流に規制する第２逆止弁３４４が設けられており、第２逆止弁３４４は底部３４の断熱空間３３側の内面に固着するようにして設けられている。図示例の第２逆止弁３４４は排気導出口３４３を閉鎖可能な板状であり、一方の端辺に沿って底部３４の内面に固着され、対向する他方の端辺側は自由端になっている。
【００２２】
蓋３には、ファン４、駆動制御装置５、バッテリー６が断熱空間３３に内装して設けられていると共に、気流の通路となる吸気ダクト７、導入ダクト８、排気ダクト９が断熱空間３３に内装して設けられている。ファン４と駆動制御装置５、駆動制御装置５とバッテリー６はそれぞれ電気的に接続され、スイッチ４１の入力でＯＮ状態にされると、駆動制御装置５がバッテリー６の電源を用いて駆動制御し、ファン４が駆動するようになっている。
【００２３】
吸気ダクト７は、外気吸込口３５２からファン４に連通するようにして形成されている。導入ダクト８は、ファン４から容器内部に外気を導入する外気導入口３４２に連通するようにして形成されており、底部３４に沿うようにして形成されている。排気ダクト９は、排気導出口３４３から容器外部への排出口３５４に連通するようにして形成されている。
【００２４】
第１実施形態のファン付保温容器１を冷気空間に設置し、スイッチ４１を入れてファン４を駆動すると、ファン４の回転で吸気ダクト７内の圧力が下がり、第１逆止弁３５３が開いて冷気空間の冷気を取り込む。取り込まれた冷気はファン４、導入ダクト８を介して外気導入口３４２から容器内部に導かれる。容器内部に冷気が取り込まれると、容器内部の圧力が上昇して第２逆止弁３４４が開き、排気導出口３４３から排気ダクト９を介して排出口３５４に気流が生じ、容器内部の冷気が容器外部へと排出される。
【００２５】
第１実施形態のファン付保温容器１或いはその蓋３は、保冷剤収納室や冷却ユニットのような保温容器内部の冷却部の設置や当該冷却部による冷却を行わないことから、外気が冷気である冷気空間で用いる場合に、優れたエネルギー効率で容器内の収容物に対する冷気環境を整えることができる。また、保温容器内部の冷却部を設置しないことで、保温容器の小型化と製造コストの低減を図ることができる。
【００２６】
また、外気吸込口３５２が蓋３の周壁３５の凹んだ部分で側方に開口するように設けられ、排出口３５４が蓋３の周壁３５の凹んだ部分で側方に開口するように設けられていることにより、冷気空間でファン付保温容器１が水平面内に近接して並べられたり、上下段に積まれた場合にも、容器内部への外気の吸込みと容器内部からの排気をスムーズに行うことができ、容器内の収容物に対する冷気環境を確実に整えることができる。
【００２７】
また、外気吸込口３５２に設けられている容器外部からファン４に向かっての気流に規制する第１逆止弁３５３と、排気導出口３４３に設けられている容器内部から容器外部に向かっての気流に規制する第２逆止弁３４４により、ファン４の回転による吸気ダクト７内の圧力低下で第１逆止弁３５３が開いて外気を取り込み、外気の取り込みによる保温容器内の圧力上昇で第２逆止弁３４４が開いて容器内部からの排気を行うことができ、保温容器内部の気流の流れを安定させることができる。また、保温容器内の圧力をほぼ一定の圧力に維持し、食材等の収容物が劣化することを防止することができる。また、容器内部への必要以上の冷気の取り込み、流通を無くし、容器内部が過度に冷却されることを防止することができると共に、容器内部の温度を安定させることができる。
【００２８】
また、蓋３を内部に断熱空間３３を有する二重壁で形成し、ファン４、駆動制御装置５、バッテリー６、吸気ダクト７、導入ダクト８、排気ダクト９が断熱空間３３に内設することにより、蓋３の断熱空間３３を有効利用してファン４、駆動制御装置５、バッテリー６、吸気ダクト７、導入ダクト８、排気ダクト９を設置することができ、これらの各部を蓋３にコンパクトに収容することができる。また、ファン付保温蓋に相当する蓋３は、第１実施形態における容器本体２以外にも多様な断熱性の容器本体に使用可能であり、汎用性に優れる。
【００２９】
〔第２実施形態のファン付き保温容器及び保冷システム〕
本発明による第２実施形態のファン付保温容器１ａは、後述する通信端末１００ａと共に保冷管理システムを構成するものである。ファン付保温容器１ａは、図５及び図６に示すように、容器内部の温度を検出する温度センサー１０ａを有し、温度センサー１０ａは、蓋３ａの断熱空間３３に内設されている駆動制御装置５ａに電気的に接続され、その検知子が底部３４から容器本体２の内部に突出するようにして設けられている。
【００３０】
ファン付保温容器１ａの駆動制御装置５ａは、ＭＰＵ等で構成される駆動制御部５１ａと、ＲＡＭ、ＲＯＭ或いはハードディスク等で構成される記憶部５２ａと、無線通信を担う通信部５３ａを備える。記憶部５２ａには、制御プログラム格納部５２１ａが設けられ、制御プログラム格納部５２１ａに格納されている制御プログラムに従って駆動制御部５１ａが動作し、例えばスイッチ４１の入力のＯＮ状態に応じて、駆動制御部５１ａがバッテリー６の電源を用いて駆動制御し、ファン４が駆動される。
【００３１】
更に、記憶部５２ａには、ファン付保温容器１ａ毎に設定される識別情報である容器ＩＤを格納する容器ＩＤ格納部５２２ａと、例えば出力が「強」の回転速度、「中」の回転速度、「弱」の回転速度等のファン４の段階的な回転速度を格納する回転速度格納部５２３ａが設けられている。また、通信部５３ａは、図７に示す通信端末１００ａと無線通信を行うようになっている。通信部５３ａと通信端末１００ａの無線通信方式は適用可能な範囲で適宜である。また、ファン付保温容器１ａには、容器ＩＤに対応するバーコードが示されたバーコードシール１１ａが外表面に貼着されている。尚、特に言及しないファン付保温容器１ａの構成は、第１実施形態のファン付保温容器１と同様である。
【００３２】
通信端末１００ａは、例えばスマートフォンのような携帯端末等で構成され、図７に示すように、ＭＰＵ等で構成される制御部１１０ａと、ＲＡＭ、ＲＯＭ或いはハードディスク等で構成される記憶部１２０ａと、無線通信を担う通信部１３０ａと、タッチパネルディスプレイ或いはディスプレイとキーボード等の出力部１４０ａ及び入力部１５０ａと、カメラ等の撮像部１６０ａを備える。
【００３３】
記憶部１２０ａには、制御プログラム格納部１２１ａが設けられ、制御プログラム格納部１２１ａに格納されているオペレーティングシステムやアプリケーションプログラムで構成される制御プログラムに従って制御部１１０ａが動作する。更に、記憶部１２０ａには、出力部１４０ａで表示する保冷処理に関する画面データ等を格納する表示画面格納部１２２ａと、ファン付保温容器１ａの識別情報である容器ＩＤを格納する容器ＩＤ格納部１２３ａが設けられている。容器ＩＤ格納部１２３ａに格納される容器ＩＤは、例えばファン付保温容器１ａのバーコードシール１１ａを撮像部１６０ａで撮像することにより通信端末１００ａに取り込まれ、容器ＩＤ格納部１２３ａに格納される。
【００３４】
第２実施形態のファン付保温容器１ａと通信端末１００ａを使用して保冷処理を行う際には、図８及び図９に示すように、例えば複数のファン付保温容器１ａのバーコードシール１１ａを操作者が撮像部１６０ａで撮像し、各ファン付保温容器１ａの容器ＩＤが通信端末１００ａに取り込まれ、通信端末１００ａの容器ＩＤ格納部１２３ａに格納されると共に、容器ＩＤを取り込んだファン付保温容器１ａをファン４を駆動した状態で冷蔵車、冷蔵倉庫、冷凍車或いは冷凍倉庫等の冷却装置２０１ａを有する保冷庫２００ａに並べて収容する（Ｓ１０１、Ｓ１０２）。この際、ファン４は、例えば初期設定の「中」等に対応する回転速度で駆動される。
【００３５】
図９の例では、６個のファン付保温容器１ａが冷蔵庫２００ａに収容されており、例えば容器ＩＤがＡ−ＸＸ１、Ａ−ＸＸ２、Ｂ−ＸＸ３、Ｃ−ＸＸ４、Ｃ−ＸＸ５、Ｃ−ＸＸ６のファン付保温容器１ａが収容される。尚、前述の容器ＩＤのハイフン前にＡ、Ｂ、Ｃは、例えば肉、野菜、医療品等のファン付保温容器１ａに収容される収容物の種別を示している。
【００３６】
そして、操作者の通信端末１００ａには、図１０（ａ）のような選択入力画面が表示され、取り込まれたファン付保温容器１ａの容器ＩＤがタッチパネルディスプレイ等の出力部１４０ａに選択入力可能に表示される（Ｓ１０３）。その後、タッチパネルディスプレイ等の入力部１５０ａにより、例えばＡ−ＸＸ１の容器ＩＤボタンの操作者による選択入力が行なわれると、通信端末１００ａの制御部１１０ａは、通信部１３０ａを介してＡ−ＸＸ１の容器ＩＤに対応するファン付保温容器１ａと通信を行い、容器ＩＤ：Ａ−ＸＸ１のファン付保温容器１ａに容器内温度の温度要求指令を送信する（Ｓ１０４）。
【００３７】
通信部５３ａを介して温度要求指令を受信した容器ＩＤ：Ａ−ＸＸ１の識別情報を有するファン付保温容器１ａの駆動制御部５１ａは、温度センサー１０ａによる容器内の検出温度を認識し、この検出温度と現在のファンの回転速度の駆動出力を通信部５３ａを介して通信端末１００ａに送信する（Ｓ１０５）。検出温度を受信した通信端末１００ａの制御部１１０ａは、図１０（ｂ）に示すように、容器ＩＤ：Ａ−ＸＸ１のファン付保温容器１ａの現在の容器内温度として受信した検出温度と、現在のファンの回転速度の駆動出力を示すと共に、「強」、「中」、「弱」のファン４の回転速度の調整ボタン１７２ａ、送信ボタン１７３ａを示す温度調整画面をタッチパネルディスプレイ等の出力部１４０ａに表示する（Ｓ１０６）。尚、図１０（ｂ）の１７４ａはファン付保温容器一覧の画面、即ち選択入力画面の表示ボタンである。
【００３８】
その後、現在の容器内温度と現在のファンの回転速度を確認した操作者が温度調整が必要と判断した場合、通信端末１００ａのタッチパネルディスプレイ等の入力部１５０ａにより、操作者によって例えばファン４の回転速度の「強」の調整ボタン１７２ａの選択入力と送信ボタン１７３ａの入力が行なわれ、通信端末１００ａの制御部１１０ａは、通信部１３０ａを介して容器ＩＤ：Ａ−ＸＸ１のファン付保温容器１ａに、「強」の出力調整指令を送信する（Ｓ１０７、Ｓ１０８）。
【００３９】
通信部５３ａを介して「強」の出力調整指令を受信した容器ＩＤ：Ａ−ＸＸ１の識別情報を有するファン付保温容器１ａの駆動制御部５１ａは、回転速度格納部５２３ａから「強」の回転速度を認識し、ファン４の回転速度を「強」の回転速度とするように調整して駆動する（Ｓ１０９）。尚、現在の容器内温度を確認した操作者が温度調整が不要と判断した場合には、表示ボタン１７４ａの入力で選択入力画面に戻って別の容器ＩＤに対応するファン付保温容器１ａについて同様の処理が行われる。また、Ｓ１０５〜Ｓ１０９の処理は、一度だけ行う、或いは所定時間間隔毎等で繰り返し複数回行うことが可能である。
【００４０】
第２実施形態によれば、ファン付保温容器１ａに収容された食材等の収容物の温度を、通信端末１００ａとファン付保温容器１ａの通信を通じてより適切に管理し、必要な調整を行うことができる。更に、ファン付保温容器１ａ毎に識別情報に相当する容器ＩＤを設定することにより、複数のファン付保温容器１ａが並行して用いられる場合に、個々のファン付保温容器１ａに収容された個々の食材等の収容物の温度を、通信端末１００ａとファン付保温容器１ａの通信を通じて収容物の種別等毎により適切に個別管理し、必要な調整を行うことができる。また、第２実施形態のファン付保温容器１ａは、第１実施形態のファン付保温容器１に対応する構成から対応する効果を得ることができる。
【００４１】
〔本明細書開示発明の包含範囲〕
本明細書開示の発明は、発明として列記した各発明、各実施形態及びその変形例の他に、適用可能な範囲で、これらの部分的な内容を本明細書開示の他の内容に変更して特定したもの、或いはこれらの内容に本明細書開示の他の内容を付加して特定したもの、或いはこれらの部分的な内容を部分的な作用効果が得られる限度で削除して上位概念化して特定したものを包含する。そして、本明細書開示の発明には下記変形例や追記した内容も含まれる。
【００４２】
例えば本発明のファン付保温容器における断熱性の容器本体の構成は、上記実施形態の容器本体２に限定されず適宜であり、例えば発泡スチロール製の容器本体等とすることも可能である。また、本発明のファン付保温蓋或いはファン付保温容器の蓋は、本発明の趣旨の範囲内で適宜であり、容器本体を略密閉して閉塞可能な断熱性の蓋であれば、内部に断熱空間を有する二重壁の蓋に限定されない。
【００４３】
また、本発明の保冷システムは、本発明の趣旨の範囲内で適宜であり、例えば容器ＩＤを設定せずにファン付保温容器と通信端末で保冷処理を行うものも含まれる。また、第２実施形態では、ファン付保温容器１ａの駆動制御部５１ａが受信した温度要求指令に応じて容器内部の温度を送信する構成としたが、個々のファン付保温容器が容器内部の検出温度と容器ＩＤを継続的に通信端末に送信する構成、或いは個々のファン付保温容器の駆動制御装置にタイマーを設置すると共に記憶部に送信間隔時間を格納し、送信間隔時間毎に個々のファン付保温容器が容器内部の検出温度と容器ＩＤを断続的に通信端末に送信する構成等とすることも可能である。
【００４４】
また、第２実施形態では、通信端末１００ａの撮像部１６０ａでバーコードシール１１ａを撮像して個々のファン付保温容器１ａの容器ＩＤを通信端末１００ａに取り込ませる構成としたが、個々のファン付保温容器１ａに容器ＩＤを刻印等で表記し、通信端末１００ａの入力部１５０ａで容器ＩＤを入力して容器ＩＤを通信端末１００ａに取り込ませる構成等とすることも可能である。また、通信端末１００ａに容器ＩＤを格納、記憶せずに、通信端末１００ａの識別情報を個々のファン付保温容器１ａの記憶部５２ａの所定の記憶領域に格納し、個々のファン付保温容器１ａから継続的又は断続的に容器内部の検出温度と容器ＩＤを通信端末に送信し、通信端末１００ａで選択された容器ＩＤのファン付保温容器１ａに出力調整指令が送信される構成等とすることも可能である。
【００４５】
また、第２実施形態における通信端末は、撮像部を設けずにバーコードシールを撮像しない構成の場合には、パーソナルコンピューター、サーバー装置等の適宜の通信端末とすることが可能である。また、第２実施形態における出力調整の仕方は「強」、「中」、「弱」以外にも５段階など適宜の段階的な処理の仕方とすることが可能であり、又、通信端末１００ａで入力された回転速度或いはこれに対応する程度情報をファン付保温容器１ａに送信し、この回転速度でファン４を駆動するようにファン付保温容器１ａの駆動制御部５１ａが駆動制御する構成等としてもよい。
【００４６】
また、第２実施形態の変形例として、ファン付保温容器１ａの駆動制御部５１ａが、温度センサー１０ａによる容器内の検出温度を認識すると共に、この検出温度を通信部５３ａを介して通信端末１００ａに送信し、操作者が温度調整が必要と判断した場合、通信端末１００ａの入力部１５０ａからの入力に基づき所要温度への調整指令が通信端末１００ａからファン付保温容器１ａに送信され、ファン付保温容器１ａの駆動制御部５１ａが、温度センサー１０ａから認識した検出温度と調整指令の所要温度を比較し、ファンの回転速度の調整が必要と判断した場合には、例えば「強」、「中」、「弱」など所要の回転速度にファン４の出力を調整するようにしても良好である。
【産業上の利用可能性】
【００４７】
本発明は、食品、医薬品等の各種収容物を収容して、冷蔵倉庫や冷蔵車の冷蔵庫、冷凍倉庫や冷凍車の冷凍庫等のような冷気空間に保管する際に利用することができる。
【符号の説明】
【００４８】
１、１ａ…ファン付保温容器  ２…容器本体  ２１…内容器  ２２…外容器  ２２１…屈曲片  ２３…断熱空間  ３、３ａ…蓋  ３１…蓋本体  ３２…天板  ３３…断熱空間  ３４…底部  ３４１…嵌合部  ３４２…外気導入口  ３４３…排気導出口  ３４４…第２逆止弁  ３５…周壁  ３５１…段差周壁  ３５２…外気吸込口  ３５３…第１逆止弁  ３５４…排出口  ４…ファン  ４１…スイッチ  ５、５ａ…駆動制御装置  ５１ａ…駆動制御部  ５２ａ…記憶部  ５２１ａ…制御プログラム格納部  ５２２ａ…容器ＩＤ格納部  ５２３ａ…回転速度格納部  ５３ａ…通信部  ６…バッテリー  ７…吸気ダクト  ８…導入ダクト  ９…排気ダクト  １０ａ…温度センサー  １１ａ…バーコードシール  １００ａ…通信端末  １１０ａ…制御部  １２０ａ…記憶部  １２１ａ…制御プログラム格納部  １２２ａ…表示画面格納部  １２３ａ…容器ＩＤ格納部  １３０ａ…通信部  １４０ａ…出力部  １５０ａ…入力部  １６０ａ…撮像部  １７１ａ…容器ＩＤボタン  １７２ａ…調整ボタン  １７３ａ…送信ボタン  １７４ａ…ファン付保温容器一覧の表示ボタン  ２００ａ…保冷庫  ２０１ａ…冷却装置
【図１】
2020121723.tif 000003
【図２】
2020121723.tif 000004
【図３】
2020121723.tif 000005
【図４】
2020121723.tif 000006
【図５】
2020121723.tif 000007
【図６】
2020121723.tif 000008
【図７】
2020121723.tif 000009
【図８】
2020121723.tif 000010
【図９】
2020121723.tif 000011
【図１０】
2020121723.tif 000012